(57)【要約】【課題】ツェナー基板のアース取りとドラムシャフトの回り止め及び抜け止めを１部品で行うことによって部品点数の削減と構造単純化を図ることができるドラムユニットを提供すること。【解決手段】固定のドラムシャフト６を中心として回転する感光ドラム３と、該感光ドラム３を帯電させる帯電器４を一体的に備えるとともに、前記帯電器４のグリッドの電位を調整するためのツェナー基板１３を前記感光ドラム３の軸方向一端側に配設して成るドラムユニット１において、前記ドラムシャフト６の前記ツェナー基板１３が配される側の軸方向一端に係合溝６ａを形成し、前記ツェナー基板１３のアース接点と前記ドラムシャフト６とをコイルばね１７で導通させるとともに、該コイルばね１７の自由端１７ｃを前記ドラムシャフト６に形成された前記係合溝６ａに係合させる。【選択図】図５
2008170834.tif 000002
【特許請求の範囲】
【請求項１】
固定のドラムシャフトを中心として回転する感光ドラムと、該感光ドラムを帯電させる帯電器を一体的に備えるとともに、前記帯電器のグリッドの電位を調整するためのツェナー基板を前記感光ドラムの軸方向一端側に配設して成るドラムユニットにおいて、
前記ドラムシャフトの前記ツェナー基板が配される側の軸方向一端に係合溝を形成し、前記ツェナー基板のアース接点と前記ドラムシャフトとをコイルばねで導通させるとともに、該コイルばねの自由端を前記ドラムシャフトに形成された前記係合溝に係合させたことを特徴とするドラムユニット。
【発明の詳細な説明】
【技術分野】
【０００１】
本発明は、固定のドラムシャフトを中心として回転する感光ドラムとこれを帯電させる帯電器を一体的に備えたドラムユニットに関するものである。
【背景技術】
【０００２】
電子写真方式を採用する複写機やプリンタ等の画像形成装置においては、帯電器によって表面が一様に帯電された感光ドラムに画像信号に対応する光が照射されて該感光ドラム上に静電潜像が形成され、この静電潜像は、現像装置によってトナーを用いて現像されてトナー像として顕像化される。そして、このトナー像は、転写装置によって感光ドラムから用紙等の記録材へと転写され、トナー像が転写された記録材は、定着装置へと搬送されて熱と圧力によってトナー像の定着を受けた後に装置外へと排出される。
【０００３】
ところで、画像形成装置には、感光ドラムと帯電器をドラムユニットとして一体化して成るものがあるが、このドラムユニットの感光ドラムの軸方向一端には、帯電器のグリッドの電位を調整するためのツェナー（ＺＥＮＥＲ）基板が配設されている。又、感光ドラムは、固定のドラムシャフトを中心として回転可能に支持されており、ドラムシャフトは、ツェナー基板のアース接点に導通している。
【特許文献１】特開平９−３２５６６７号公報
【特許文献２】特開２００５−３００６５８号公報
【発明の開示】
【発明が解決しようとする課題】
【０００４】
しかしながら、従来のドラムユニットにおいては、ツェナー基板のアース取りとドラムシャフトの回り止め及び抜け止めをそれぞれ別部材で行っていたため、部品点数が増えるとともに、構造が複雑化するという問題があった。
【０００５】
本発明は上記問題に鑑みてなされたもので、その目的とする処は、ツェナー基板のアース取りとドラムシャフトの回り止め及び抜け止めを１部品で行うことによって部品点数の削減と構造単純化を図ることができるドラムユニットを提供することにある。
【課題を解決するための手段】
【０００６】
上記目的を達成するため、本発明は、固定のドラムシャフトを中心として回転する感光ドラムと、該感光ドラムを帯電させる帯電器を一体的に備えるとともに、前記帯電器のグリッドの電位を調整するためのツェナー基板を前記感光ドラムの軸方向一端側に配設して成るドラムユニットにおいて、前記ドラムシャフトの前記ツェナー基板が配される側の軸方向一端に係合溝を形成し、前記ツェナー基板のアース接点と前記ドラムシャフトとをコイルばねで導通させるとともに、該コイルばねの自由端を前記ドラムシャフトに形成された前記係合溝に係合させたことを特徴とする。
【発明の効果】
【０００７】
本発明によれば、ツェナー基板のアース取りとドラムシャフトの回り止め及び抜け止めをコイルばねの１部品で行うようにしたため、ドラムユニットの部品点数の削減と構造単純化を図ることができる。
【発明を実施するための最良の形態】
【０００８】
以下に本発明の実施の形態を添付図面に基づいて説明する。
【０００９】
図１及び図２は本発明に係るドラムユニットの斜視図、図３は同ドラムユニットの正面図、図４は図３のＡ−Ａ線断面図、図５は同ドラムユニット端部の内部構成を示す部分斜視図、図６は感光ドラム端部の斜視図である。
【００１０】
本発明に係るドラムユニット１は、ハウジング２に感光ドラム３と帯電器４及びクリーニング装置５を一体的に組み付けてユニットとして構成されている。ここで、感光ドラム３は、ドラム状の感光体であって、その軸方向両端がハウジング２によって支持されたドラムシャフト６に回転可能に支持されている。
【００１１】
前記帯電器４は、感光ドラム３と平行に配された断面コの字状のシールドケース７と、該シールドケース７の長手方向端部間に張設された不図示の帯電ワイヤー、該帯電ワイヤーと不図示のグリッドを清掃する清掃部材８、該清掃部材８を帯電器４の長手方向に往復動させるスクリュー９等を含んで構成されている。
【００１２】
又、前記クリーニング装置５は、図５に示すように、感光ドラム３の表面に当接するクリーニングブレード１０と、該クリーニングブレード１０が感光ドラム３の表面から掻き取ったトナーを搬送するトナー搬送スクリュー１１、当該ドラムユニット１の画像形成装置本体に対する着脱動作に連動して開閉するトナー回収シャッター１２等を含んで構成されている。
【００１３】
ところで、図４〜図６に示すように、感光ドラム３の軸方向一端側であって、ハウジング２の裏側には、帯電器４のグリッドの電位を調整するためのツェナー基板１３が配設されており、このツェナー基板１３の裏面（感光ドラム３の端面に対向する面）には出力接点１４とアース接点１５が設けられている（図４参照）。
【００１４】
そして、ツェナー基板１３の出力接点１４と帯電器４のシールドケース７とは、コイルばね１６を介して電気的に接続されている。ここで、コイルばね１６には、両端部と中間部にコイル部１６ａ，１６ｂ，１６ｃを備えており、該コイルばね１６は、中間のコイル部１６ｃに挿通するハウジング２側の不図示のボスによって支持されている。又、このコイルばね１６の一端のコイル部１６ａは、ツェナー基板１３の出力接点１４に当接しており、他端のコイル部１６ｂには、帯電器４のシールドケース７の一端に立設された凸状の接点７ａが当接している（図５参照）。従って、ツェナー基板１３は、コイルばね１６及び帯電器４のシールドケース７を経て不図示のグリッドに導通している。
【００１５】
他方、ツェナー基板１３のアース接点１５とドラムシャフト６とは、コイルばね１７を介して電気的に接続されている。ここで、コイルばね１７には、一端部と中間部にコイル部１７ａ，１７ｂを備えており、該コイルばね１７は、中間のコイル部１７ｂに挿通するハウジング２側の不図示のボスによって支持されている。又、このコイルばね１７の一端のコイル部１７ａは、ツェナー基板１３のアース接点１５に当接しており、コイルばね１７の自由端１７ｃは、図５及び図６に示すように、ドラムシャフト６の一端（ツェナー基板１３が配される側の軸方向一端）に軸直角方向（縦方向）に形成されたスリット状の係合溝６ａに係合している。従って、ツェナー基板１３は、コイルばね１７を経てドラムシャフト６に導通しており、これによってツェナー基板１３のアース取りが行われている。
【００１６】
而して、以上のように構成されたドラムユニット１は、不図示の画像形成装置本体内に装着されて画像形成に供される。
【００１７】
即ち、不図示の画像形成信号が出力されると、ドラムユニット１の感光ドラム３が不図示の駆動手段によって所定のプロセイスピードで回転駆動され、その表面が帯電器４によって所定の電位に一様に帯電される。そして、画像信号に対応するレーザ光等が感光ドラム３の表面に照射されると、該感光ドラム３上に静電潜像が形成され、この静電潜像は、不図示の現像装置によって現像剤であるトナーを用いて現像されてトナー像として顕像化される。そして、感光ドラム３上に形成されたトナー像は、不図示の転写装置によって記録材である用紙上に転写され、トナー像の転写を受けた用紙は、不図示の定着装置によって加熱及び加圧されてトナー像の定着を受けた後に装置外へと排出されて一連の画像形成動作が終了する。尚、用紙上に転写されないで感光ドラム３上に残留する転写残トナーは、ドラムユニット１のクリーニング装置５によって除去され、感光ドラム３は次の画像形成動作に備えられる。
【００１８】
以上において、本発明に係るドラムユニット１においては、図５及び図６に示すように、コイルばね１７の自由端１７ｃをドラムシャフト６の一端に形成された係合溝６ａに係合させたため、ドラムシャフト６の回り止めと抜け止めがコイルばね１７の１部品によってなされる。又、コイルばね１７の一端のコイル部１７ａをツェナー基板１３のアース接点１５に当接させ、ツェナー基板１３をコイルばね１７を経てドラムシャフト６に導通させてツェナー基板１３のアース取りを行うようにしたため、ツェナー基板１３のアース取りとドラムシャフト６の回り止め及び抜け止めをコイルばね１７の１部品で行うことができ、ドラムユニット1の部品点数の削減と構造単純化を図ることができる。
【図面の簡単な説明】
【００１９】
【図１】本発明に係るドラムユニットの斜視図である。
【図２】本発明に係るドラムユニットの斜視図である。
【図３】本発明に係るドラムユニットの正面図である。
【図４】図３のＡ−Ａ線断面図である。
【図５】本発明に係るドラムユニット端部の内部構成を示す部分斜視図である。
【図６】本発明に係るドラムユニットの感光ドラム端部の斜視図である。
【符号の説明】
【００２０】
１              ドラムユニット
２              ハウジング
３              感光ドラム
４              帯電器
５              クリーニング装置
６              ドラムシャフト
６ａ            ドラムシャフトの係合溝
７              シールドケース
７ａ            シールドケースの接点
８              清掃部材
９              スクリュー
１０            クリーニングブレード
１１            トナー搬送スクリュー
１２            トナー回収シャッター
１３            ツェナー基板
１４            ツェナー基板の出力接点
１５            ツェナー基板のアース接点
１６            コイルばね
１６ａ〜１６ｃ  コイルばねのコイル部
１７            コイルばね
１７ａ，１７ｂ  コイルばねのコイル部
１７ｃ          コイルばねの自由端
【図１】
2008170834.tif 000003
【図２】
2008170834.tif 000004
【図３】
2008170834.tif 000005
【図４】
2008170834.tif 000006
【図５】
2008170834.tif 000007
【図６】
2008170834.tif 000008